(57)【特許請求の範囲】
【請求項１】
鉱油及び／又は合成油からなる基油と、圧縮機油全量を基準として０．００１〜１５質量％の脂肪酸とグリセリンとのトリエステルと、を含有する圧縮機油であって、前記脂肪酸の４０〜９８質量％がオレイン酸であり、前記トリエステルの総不飽和度が０．３以下であることを特徴とする圧縮機油。
【請求項２】
前記脂肪酸の１〜６０質量％がリノール酸であることを特徴とする、請求項１に記載の圧縮機油。
【請求項３】
前記脂肪酸の０．１〜３０質量％が炭素数１〜１６の脂肪酸であることを特徴とする、請求項１又は２に記載の圧縮機油。
【請求項４】
ホワイトオイル及びポリオレフィンからなる群より選ばれる少なくとも１種を更に含有することを特徴とする、請求項１〜３のうちのいずれか一項に記載の圧縮機油。
【請求項５】
酸化防止剤を更に含有することを特徴とする、請求項１〜４のいずれか一項に記載の圧縮機油。
【発明の詳細な説明】
【０００１】
【発明の属する技術分野】
本発明は、圧縮機油に関するものであり、詳しくは、高圧ポリエチレン製造プラントのエチレン圧縮機等に使用される圧縮機油に関するものである。
【０００２】
【従来の技術】
高圧ポリエチレン製造プラントで使用されるエチレン圧縮機においては、その機構上、ピストン、シールリングの空隙を通して潤滑油（圧縮機油）が液状またはガス状の吐出流体側に混入し得るため、得られるポリエチレン中に潤滑油が不純物として含まれる恐れがある。そのため、圧縮機油としては人体に対し安全性の高いものを使用することが望ましく、ホワイトオイルやポリブテン、ポリα−オレフィン等のポリオレフィンを基油としたものが広く使用されている。
【０００３】
そして近年、製造コスト削減の点から、エチレン圧縮機の異常動作の発生に伴うシャットダウンの防止及びメンテナンス間隔の長期化が求められている。そこで、かかる要請に応えるべく、カルボン酸及びリン酸エステル（米国特許第５，７６３，３７１号公報）、グリセロール  トリオレート（ＧＴＯ）等のエステル化合物（米国特許第５，６４１，７４０号公報）等の添加剤を基油に配合して圧縮機油の潤滑性を向上する試みがなされている。
【０００４】
【発明が解決しようとする課題】
しかしながら、上記の添加剤を配合した従来の圧縮機油にあっては、潤滑性が不十分であったり、また、添加剤が圧縮機油の酸化安定性を低下せしめて圧縮機油自体の使用寿命を短くするため、潤滑性を高めてもメンテナンス間隔を十分に長期化することは困難である。また、添加剤が金属等に対する腐食性を有している場合には、腐食摩耗の発生による圧縮機の異常動作が起こりやすく、装置のシャットダウンを十分に回避できない。
【０００５】
本発明は、上記従来技術の有する課題に鑑みてなされたものであり、潤滑性と酸化安定性との双方を高水準でバランスよく達成可能な圧縮機油を提供することを目的とする。
【０００６】
【課題を解決するための手段】
本発明者らは、上記目的を達成すべく鋭意研究を重ねた結果、脂肪酸とグリセリンとのトリエステルを含有する圧縮機油において、当該脂肪酸中のオレイン酸含有量が特定の範囲内である場合に潤滑性と酸化安定性との双方がバランスよく高められることを見出し、本発明を完成するに至った。
【０００７】
すなわち、本発明の圧縮機油は、鉱油及び／又は合成油からなる基油と、圧縮機油全量を基準として０．００１〜１５質量％の脂肪酸とグリセリンとのトリエステルと、を含有する圧縮機油であって、前記脂肪酸の４０〜９８質量％がオレイン酸であり、前記トリエステルの総不飽和度が０．３以下であることを特徴とするものである。
【０００８】
本発明によれば、脂肪酸とグリセリンとのトリエステルを含有する圧縮機油において、当該トリエステルの脂肪酸組成が上記の条件を満たすことによって、潤滑性と酸化安定性の双方がバランスよく十分に高められるので、腐食摩耗の発生を防止すると共に、圧縮機油自体の使用寿命を十分に長期化することが可能となる。従って、例えば高圧ポリエチレン製造プラントで使用されるエチレン圧縮機等において、圧縮機の異常動作によるシャットダウンの防止及びメンテナンス間隔の長期化が可能となり十分なコスト削減が実現される点で、本発明の圧縮機油は非常に有用である。
【０００９】
また、本発明の圧縮機油においては、前記脂肪酸の１〜６０質量％がリノール酸であることが好ましい。かかる脂肪酸組成を有するトリエステルを用いると、潤滑性及び酸化安定性がより向上する傾向にある。
【００１０】
更に、本発明の圧縮機油においては、前記脂肪酸の０．１〜３０質量％が炭素数１〜１６の脂肪酸であることが好ましい。かかる脂肪酸組成を有するトリエステルを用いると、潤滑性及び酸化安定性がより向上する傾向にある。
【００１１】
また更に、本発明の圧縮機油は、ホワイトオイル及びポリオレフィンからなる群より選ばれる少なくとも１種を更に含有することが好ましい。これにより、本発明の圧縮機油を高圧ポリエチレン製造プラントのエチレン圧縮機に用いた場合に、当該圧縮機油がポリエチレン中に残存しても製品の品質低下（安全性等）を招く恐れが小さくなる。
【００１２】
また更に、本発明の圧縮機油は、酸化防止剤を更に含有することが好ましい。これにより圧縮機油の酸化安定性をより高めることができる。
【００１３】
【発明の実施の形態】
以下、本発明の好適な実施形態について詳細に説明する。
【００１４】
本発明の圧縮機油には、脂肪酸とグリセリンとのトリエステル（以下、単に「トリエステル」という）であって、該脂肪酸中の４０〜９８質量％がオレイン酸のものが含まれる。かかるトリエステルを用いることによって、潤滑性と酸化安定性との双方を高水準でバランスよく達成することができる。また、当該トリエステルを構成する脂肪酸中のオレイン酸の含有量は、潤滑性と酸化安定性との双方を高水準でバランスよく達成できる点から、好ましくは５０質量％以上、より好ましくは６０質量％以上、更に好ましくは７０質量％以上であり、また、同様の点から好ましくは９５質量％以下、より好ましくは９０質量％以下である。
【００１５】
なお、本発明に係るトリエステルを構成する脂肪酸（以下、「構成脂肪酸」という）中のオレイン酸の割合や、後述するリノール酸等の割合は、日本油化学会制定の基準油脂分析法２．４．２項「脂肪酸組成」に準拠して測定されるものである。
【００１６】
また、本発明に係るトリエステルの構成脂肪酸のうち、オレイン酸以外の脂肪酸としては、潤滑性及び酸化安定性を損なわない限り特に制限されないが、好ましくは炭素数６〜２４の脂肪酸である。炭素数６〜２４の脂肪酸としては、飽和脂肪酸でもよく、不飽和結合を１〜５個有する不飽和脂肪酸でもよい。また、当該脂肪酸は直鎖状、分岐鎖状のいずれであってもよい。さらに、分子内にカルボキシル基（−ＣＯＯＨ）以外に水酸基（−ＯＨ）を１〜３個有していてもよい。このような脂肪酸としては、具体的には、カプロン酸、カプリル酸、カプリン酸、ラウリン酸、ミリスチン酸、パルミチン酸、ステアリン酸、アラキン酸、ベヘニン酸、リグノセリン酸、ラウロレイン酸、ミリストレイン酸、パルミトレイン酸、ガドレイン酸、エルシン酸、リシノール酸、リノール酸、リノレン酸、エレオステアリン酸、リカン酸、アラキドン酸、クルバドン酸等が挙げられる。これらの脂肪酸の中でも、潤滑性と酸化安定性との両立の点で、リノール酸が好ましく、トリエステルを構成する脂肪酸の１〜６０質量％（より好ましくは２〜５０質量％、更に好ましくは４〜４０質量％）がリノール酸であることがより好ましい。
【００１７】
更に、本発明に係るトリエステルにおいては、潤滑性と酸化安定性との両立の点で、構成脂肪酸中の０．１〜３０質量％（より好ましくは０．５〜２０質量％、更に好ましくは１〜１０質量％）が炭素数６〜１６の脂肪酸であることが好ましい。炭素数６〜１６の脂肪酸の割合が０．１質量％未満であると酸化安定性が低下する傾向にあり、他方、３０質量％を超えると潤滑性が低下する傾向にある。
【００１８】
また、本発明に係るトリエステルにおいては、当該トリエステルの総不飽和度は０．３以下であることが好ましく、０．２以下であることがより好ましい。トリエステルの総不飽和度が０．３より大きくなると、本発明の圧縮機油の酸化安定性が悪くなる傾向にある。なお、本発明でいう総不飽和度とは、ポリウレタン用ポリエーテルの代わりにトリエステルを用いる以外はＪＩＳ Ｋ１５５７−１９７０ 「ポリウレタン用ポリエーテル試験方法」に準じて、同様の装置・操作法により測定される総不飽和度をいう。
【００１９】
本発明に係るトリエステルとしては、構成脂肪酸中のオレイン酸の割合等が上記の条件を満たすものであれば、合成により得られるものを用いてもよく、或いは当該トリエステルを含有する植物油等の天然油を用いてもよいが、人体に対する安全性の点から、植物油等の天然油を用いることが好ましい。かかる植物油としては、菜種油、ひまわり油、大豆油、トウモロコシ油、キャノーラ油が好ましく、中でもひまわり油及び大豆油が特に好ましい。
【００２０】
ここで、天然の植物油の多くは総不飽和度が０．３を超えるものであるが、その精製工程で水素化等の処理により総不飽和度を小さくすることが可能である。また、遺伝子組み替え技術により総不飽和度の低い植物油を容易に製造することができる。例えば総不飽和度が０．３以下でありかつオレイン酸が７０質量％以上のものとして高オレイン酸キャノーラ油等、８０質量％以上のものとして高オレイン酸大豆油、高オレイン酸ひまわり油などを例示することができる。
【００２１】
本発明においては、上記のトリエステルを単独で圧縮機油として用いてもよいが、潤滑性と酸化安定性との両立の点からは、当該トリエステルを所定の基油に配合して使用することが好ましい。かかる基油としては、鉱油、合成油のいずれであってもよく、これらの混合物であってもよい。
【００２２】
本発明において使用される鉱油としては、例えば原油を常圧蒸留及び減圧蒸留して得られた潤滑油留分を、溶剤脱れき、溶剤抽出、水素化分解、溶剤脱ろう、接触脱ろう、接触脱ろう、水素化精製、硫酸洗浄、白土処理等の精製処理を適宜組み合わせて精製したパラフィン系鉱油又はナフテン系鉱油が挙げられる。
【００２３】
また、本発明において使用される合成油としては、具体的には、プロピレンオリゴマー、ポリブテン、ポリイソブチレン、１−オクテンオリゴマー、１−デセンオリゴマー、エチレンとプロピレンとのコオリゴマー、エチレンと１−オクテンとのコオリゴマー、エチレンと１−デセンとのコオリゴマー等のポリα−オレフィン又はそれらの水素化物；イソパラフィン；モノアルキルベンゼン、ジアルキルベンゼン、ポリアルキルベンゼン等のアルキルベンゼン；モノアルキルナフタレン、ジアルキルナフタレン、ポリアルキルナフタレン等のアルキルナフタレン；ジオクチルアジペート、ジ−２−エチルヘキシルアジペート、ジイソデシルアジペート、ジトリデシルアジペート、ジ−２−エチルヘキシルセバケート、ジトリデシルグルタレート等の二塩基酸エステル；トリメリット酸等の三塩基酸エステル；トリメチロールプロパンカプリレート、トリメチロールプロパンペラルゴネート、ペンタエリスリトール２−エチルヘキサノエート、ペンタエリスリトールペラルゴネート等のポリオールエステル；ポリエチレングリコール、ポリプロピレングリコール、ポリオキシエチレンオキシプロピレングリコール、ポリエチレングリコールモノエーテル、ポリプロピレングリコールモノエーテル、ポリオキシエチレンオキシプロピレングリコールモノエーテル、ポリエチレングリコールジエーテル、ポリプロピレングリコールジエーテル、ポリオキシエチレンオキシプロピレングリコールジエーテル等のポリグリコール；モノアルキルジフェニルエーテル、ジアルキルジフェニルエーテル、モノアルキルトリフェニルエーテル、ジアルキルトリフェニルエーテル、テトラフェニルエーテル、モノアルキルテトラフェニルエーテル、ジアルキルテトラフェニルエーテル、ペンタフェニルエーテル等のフェニルエーテル；シリコーン油；パーフルオロエーテル等のフルオロエーテル、等が挙げられ、これらは１種を単独で又は２種以上を組み合わせて用いることができる。
【００２４】
また、本発明の圧縮機油をエチレン圧縮機等に適用する場合には、上記の基油の中でも、ホワイトオイル及び／又はポリオレフィンを用いることが好ましい。これにより、当該圧縮機油がポリエチレン中に残存しても製品の品質低下（安全性等）を招く恐れが小さくなる。
【００２５】
本発明で用いられるホワイトオイルは流動パラフィンとも呼ばれるもので、鉱油を硫酸処理又は水素化処理等で高度精製したものを意味する。より具体的には、ＪＩＳ  Ｋ  ２２３１「流動パラフィン」の規定に合致するもの、すなわち、腐食試験（１００℃、３時間）の評点が１以下であり、色（セーボルト）が＋３０以上であり、硫酸呈色試験において標準色溶液と同等の色又はこれよりも淡色を示し、ニトロナフタリン試験において黄色結晶（ニトロナフタリン）が残存しないものがホワイトオイルである。
【００２６】
また、ポリオレフィンとしては、各種オレフィンの重合体が使用可能であるが、中でもブテン（１−ブテン、２−ブテン、イソブテン）又は炭素数６〜２０のαオレフィンの重合体が好ましい。また、ポリオレフィンの平均分子量は１００〜３０００の範囲内であることが好ましい。
【００２７】
上記基油の動粘度は特に制限されないが、潤滑性の点から、４０℃における動粘度は１０ｍｍ2／ｓ以上であることが好ましく、２５ｍｍ2／ｓ以上であることがより好ましく、５０ｍｍ2／ｓ以上であることが更に好ましい。また、作業性の点から、当該基油の４０℃における動粘度は１５００ｍｍ2／ｓ以下であることが好ましく、１０００ｍｍ2／ｓ以下であることがより好ましく、５００ｍｍ2／ｓ以下であることが更に好ましい。
【００２８】
上記基油へのトリエステルの配合量は、潤滑性及び酸化安定性の両立の点から、圧縮機油全量を基準として好ましくは０．００１〜１５質量％であり、より好ましくは０．０１〜１０質量％であり、更に好ましくは１〜５質量％である。トリエステルの配合量が０．００１質量％未満であると潤滑性が低下する傾向にあり、他方、１５質量％を超えると酸化安定性が低下したり、腐食摩耗が発生しやすくなるなど潤滑性が低下する傾向にある。
【００２９】
また、本発明の圧縮機油は酸化防止剤をさらに含有することが好ましい。かかる酸化防止剤としては特に制限されないが、例えばフェノール系酸化防止剤、アミン系酸化防止剤、ジチオリン酸亜鉛系酸化防止剤、アスコルビン酸（ビタミンＣ）、アスコルビン酸の脂肪酸エステル、トコフェロール（ビタミンＥ）等が挙げられる。これらの中でも、アスコルビン酸、アスコルビン酸の脂肪酸エステル、トコフェロール、２，６−ジ−ｔｅｒｔ−ブチル−ｐ−クレゾール（ＤＢＰＣ）、３，５−ジ−ｔｅｒｔ−ブチル−４−ヒドロキシアニソール、２−ｔｅｒｔ−ブチル−４−ヒドロキシアニソール、３−ｔｅｒｔ−ブチル−４−ヒドロキシアニソール、１，２−ジハイドロ−６−エトキシ−２，２，４−トリメトキシキノリン（エトキシキン）、２−（１，１−ジメチル）−１，４−ベンゼンジオール（ＴＢＨＱ）及び２，４，５−トリヒドロキシブチロフェノン（ＴＨＢＰ）が好ましく、アスコルビン酸、アスコルビン酸の脂肪酸エステル、トコフェロール、２，６−ジ−ｔｅｒｔ−ブチル−ｐ−クレゾール、３，５−ジ−ｔｅｒｔ−ブチル−４−ヒドロキシアニソールがより好ましく、トコフェロールが特に好ましい。
【００３０】
また、酸化防止剤の含有量は特に制限されないが、組成物全量を基準として、好ましくは０．０１〜１０質量％であり、より好ましくは０．０５〜５質量％であり、更に好ましくは０．２〜３質量％であり、一層好ましくは０．３〜２質量％であり、特に好ましくは０．４〜１質量％である。
【００３１】
更に、本発明においては、圧縮機油の性能を一層高める目的で、必要に応じてさび止め剤、金属系清浄剤、無灰分散剤、金属不活性化剤、摩耗防止剤、流動点降下剤、消泡剤等を単独で、又は２種以上組み合わせて配合してもよい。
【００３２】
さび止め剤としては、具体的には、脂肪酸類、脂肪族アミン類、有機スルフォン酸金属塩、有機リン酸金属塩、アルケニルコハク酸エステル、多価アルコールエステル等が挙げられる。
【００３３】
金属系清浄剤剤としては、中性、塩基性又は過塩基性のアルカリ金属スルフォネート、アルカリ金属フェネート、アルカリ金属サリシレート、アルカリ土類金属フェネート、アルカリ土類金属サリシレート等が例示でき、かかるアルカリ金属としてはナトリウム、カリウム等、アルカリ土類金属としてはマグネシウム、カルシウム等が例示できる。
【００３４】
無灰分散剤としては、アルケニルコハク酸イミド、ポリアルケニルポリアミン、ベンジルアミン等の、いわゆる潤滑油用の無灰分散剤だけでなく、ポリメタクリレートやポリアクリレートなどのポリマーに窒素を含有する極性モノマーを導入した分散型粘度指数向上剤等も使用可能である。
【００３５】
金属不活性化剤としては、ベンゾトリアゾール系化合物、チアジアゾール系化合物、イミダゾール系化合物等が挙げられる。
【００３６】
摩耗防止剤としては、例えば硫黄系化合物が使用できる。硫黄系化合物としては、具体的には、ジスルフィド類、硫化オレフィン類、硫化油脂類等が挙げられる。
【００３７】
流動点降下剤としては、潤滑油基油に適合するポリメタクリレート系のポリマー等が挙げられ、消泡剤としては、例えばジメチルシリコーン等のシリコーン類が挙げられる。
【００３８】
これらの添加剤の配合量は任意に選定することができるが、圧縮機油全量を基準とした各添加剤の配合量は、さび止め剤で０．００１〜３質量％、金属系清浄剤で０．０１〜３質量％、無灰分散剤で０．０１〜３質量％、金属不活性化剤で０．００１〜３質量％、摩耗防止剤で０．０１〜５質量％、流動点降下剤で０．０１〜５質量％、消泡剤で０．０００１〜０．０５質量％の範囲内であることが好ましい。
【００３９】
本発明の圧縮機油の動粘度は、特に限定されず任意であるが、潤滑性の点から、４０℃における動粘度は１０ｍｍ2／ｓ以上であることが好ましく、２５ｍｍ2／ｓ以上であることがより好ましく、５０ｍｍ2／ｓ以上であることが更に好ましい。また、作業性の点から、当該基油の４０℃における動粘度は１５００ｍｍ2／ｓ以下であることが好ましく、１０００ｍｍ2／ｓ以下であることがより好ましく、５００ｍｍ2／ｓ以下であることが更に好ましい。
【００４０】
また、引火点も任意であるが、火災の危険性等の点から７０℃以上、より好ましくは２００℃以上である。全酸価についても、特に限定されず任意であるが、不純物としての遊離脂肪酸が多すぎると酸化安定性を低下させることがあるため、０〜２．０ｍｇＫＯＨ／ｇ、より好ましくは０〜０．５ｍｇＫＯＨ／ｇである。
【００４１】
本発明の圧縮機油は、潤滑性及び酸化安定性をバランスよく高水準で両立するものであり、いかなる形式の圧縮機にも適用可能であるが、中でも往復動型圧縮機に好適に用いられ、特にブランジャー型圧縮機に好適に用いられる。なお、ブランジャー型圧縮機とは、円筒状のピストンを備える圧縮機であって、駆動軸を有さず、ピストンがシリンダーの中を自由に移動できる構造のものである。
【００４２】
また、圧縮機の吐出圧については特に制限されないが、本発明の圧縮機油は吐出圧が超高圧（通常１０ＭＰａ以上、好ましくは５０ＭＰａ以上、より好ましくは１００ＭＰａ以上）である圧縮機に好適に使用される。
【００４３】
また、本発明の圧縮機油は、いかなる流体の圧縮機にも適用可能であるが、有機ガス用又は二酸化炭素用の圧縮機に好適に使用される。
【００４４】
ここでいう有機ガスとはガス状の有機化合物の総称であり、炭素及び水素のみからなる炭化水素化合物と、炭素及び水素の他に酸素、窒素等の元素を含む化合物との双方を包含するものである。
【００４５】
かかる有機ガスとしては、例えば各種合成樹脂の原料モノマーが挙げられる。合成樹脂の具体例としては、ポリエチレン、ポリプロピレン、ポリ塩化ビニル、ポリスチレン、アクリル樹脂、ポリアミド、ポリカーボネート、ポリアセタール等の熱可塑性樹脂、フェノール樹脂、アミノ樹脂（ユリヤ樹脂、メラミン樹脂等）、不飽和ポリエステル樹脂、エポキシ樹脂、アクリル樹脂、ポリウレタン（ウレタン樹脂）、ポリイミド等の熱硬化性樹脂などが挙げられる。また、メタン、エタン、プロパン、イソブタン等の飽和炭化水素ガス用の圧縮機にも、本発明の圧縮機油は好適に使用される。
【００４６】
更に、本発明の圧縮機油は、上記有機ガスの中でも炭素−炭素二重結合を有する不飽和有機化合物ガスの圧縮に使用される圧縮機に好適であり、これにより当該不飽和有機化合物の付加重合による合成樹脂の製造を好適に行うことができる。かかる不飽和有機化合物の炭素数は、好ましくは２〜６であり、より好ましくは２〜４であり、更に好ましくは２〜３である。このような不飽和有機化合物としては、具体的には、エチレン、プロピレン、１−ブテン、２−ブテン、イソブテン（２−メチルプロピレン）等が挙げられる。
【００４７】
【実施例】
以下、実施例及び比較例に基づいて本発明を更に具体的に説明するが、本発明は以下の実施例に何ら限定されるものではない。
【００４８】
実施例１〜１１、比較例１〜１２
実施例１〜１１及び比較例１〜１２においては、それぞれ以下に示す基油及び添加剤を用いた。
【００４９】
［基油］
基油１：ホワイトオイル（４０℃における動粘度：１５０ｍｍ2／ｓ）
基油２：ホワイトオイル（４０℃における動粘度：２２０ｍｍ2／ｓ）
基油３：ポリブテン（４０℃における動粘度：２６０ｍｍ2／ｓ、平均分子量：５５０）
基油４：ポリα−オレフィン（１−デセンオリゴマーの重合体、４０℃における動粘度：２６０ｍｍ2／ｓ、平均分子量：９００）
［添加剤］
添加剤１：高オレイン酸大豆油
添加剤２：高オレイン酸ひまわり油
添加剤３：高オレイン酸菜種油
添加剤４：菜種油
添加剤５：グリセリントリオレート
添加剤６：トコフェロール（酸化防止剤）
添加剤１〜４に含まれるトリエステルの構成脂肪酸組成、並びに各添加剤の総不飽和度、４０℃における動粘度、流動点、引火点、全酸価を表１に示す。
【表１】
0004190190.tif 000002
【００５１】
これらの基油及び添加剤をそれぞれ表２〜５に示す組成となるように配合して圧縮機油を調製し、後述する潤滑性試験及び酸化安定性に用いた。なお、表２〜５中の添加剤配合量は、圧縮機油全量を基準としたものである。
【表２】
0004190190.tif 000003
【表３】
0004190190.tif 000004
【表４】
0004190190.tif 000005
【表５】
0004190190.tif 000006
【００５６】
［潤滑性試験］
ＡＳＴＭ  Ｄ  ３２３３−９３“Ｓｔａｎｄａｒｄ  Ｔｅｓｔ  Ｍｅｔｈｏｄｓ  ｆｏｒ  Ｍｅａｓｕｒｅｍｅｎｔ  ｏｆ  Ｅｘｔｒｅｍｅ  Ｐｒｅｓｓｕｒｅ  Ｐｒｏｐｅｒｔｉｅｓ  ｏｆ  Ｆｌｕｉｄ  Ｌｕｂｒｉｃａｎｔｓ（Ｆａｌｅｘ  Ｐｉｎ  Ｖｅｅ  Ｂｌｏｃｋ  Ｍｅｔｈｏｄｓ）”に準拠して、以下の手順で焼付荷重を測定した。なお、本試験においては、銅−鉛合金からなる外径６．３５ｍｍ（１／４インチ）、長さ３１．７５ｍｍ（１・１／４インチ）のピン（ジャーナル）及びタングステンカーバイドからなる角度９６度のＶ型ブロックを用いた。
【００５７】
先ず、１６０ｍｌ／ｍｉｎの流量でＮ2ガスを試験油中に吹き込みながら、回転数２９０ｒｐｍ、開始温度７０℃、荷重２００ｌｂで５分間運転を行い、荷重を２５０ｌｂに増加し一定に保持して更に５分間運転した。その後、５分毎に荷重を１０ｌｂずつ増加させて５分間一定に保持して運転した。荷重の保持は歯数の調整により行い、５分間荷重を一定に保持するために必要な歯数の調整量が６山を越えた場合に異常摩耗が発生したと判断し、このときの荷重を焼付荷重とした。各実施例及び比較例で得られた焼付荷重を表２〜５に示す。
【００５８】
［酸化安定性試験］
ＪＩＳ  Ｋ  ２５１４「潤滑油−酸化安定度試験方法」の「６．回転ボンベ式酸化安定度試験方法」に準拠して、各資料油のＲＢＯＴ値を測定した。
【００５９】
表２、３に示したように、本発明の圧縮機油にかかる実施例１〜１２では、いずれも潤滑性と酸化安定性との双方が高水準でバランスよく達成されていることが確認された。
【００６０】
【発明の効果】
以上説明した通り、本発明によれば、脂肪酸とグリセリンとのトリエステルを含有する圧縮機油において、当該トリエステルの脂肪酸組成が上記特定の条件を満たすことによって、潤滑性と酸化安定性の双方がバランスよく十分に高められるので、腐食摩耗の発生を防止すると共に、圧縮機油自体の使用寿命を十分に長期化することが可能となる。従って、例えば高圧ポリエチレン製造プラントで使用されるエチレン圧縮機等において、圧縮機の異常動作によるシャットダウンの防止及びメンテナンス間隔の長期化が可能となり十分なコスト削減が実現される点で、本発明の圧縮機油は非常に有用である。